(57)【要約】【課題】形状の自由度が高く、発光する光が独特の光学特性を備えると共に、設置後の形状のアレンジや保守が容易であり、かつ、美感に優れた照明器具の装飾構造及び照明器具を提供する。【解決手段】本発明を適用した照明器具の一例であるシャンデリアＡは、天井面に、装飾構造１をワイヤ１１で吊り下げて設置されている。また、装飾構造１は、ベースフレーム３と、ベースフレーム３の外周面上に取り付けられた複数の羽ピース２を有している。羽ピース２は、所定の長さを有する取付基部２０と、取付基部２０と繋がった羽部２１から構成されている。この羽ピース２の取付基部２０は、上部フレーム体３０及び下部フレーム体３１に形成された貫通孔３０１及び貫通孔３１１に挿入される。【選択図】図１
2020173901.tif 000002
【特許請求の範囲】
【請求項１】
取付基部と、該取付基部に連設された装飾部から構成され、照射された光の少なくとも一部を透過可能である装飾ピースと、
複数の前記装飾ピースを取り付ける基台となると共に、その内部に光源を配置可能な空間が形成され、かつ、光透過性を有するベース部と、
該ベース部の外周面に位置し、前記取付基部を取り付け可能であると共に、前記ベース部の外周面を複数の前記装飾ピースで略囲繞するように設けられた取付部とを備える
照明器具の装飾構造。
【請求項２】
前記取付部は、前記ベース部に形成された前記取付基部を挿通可能な孔部であり、同ベース部に複数形成されている
請求項１に記載の照明器具の装飾構造。
【請求項３】
複数の前記装飾ピースは、前記ベース部の外周面上に密集して配置されると共に、隣り合う前記装飾ピース同士の前記装飾部が当接して互いに及ぼす圧力により、前記ベース部上での配置状態が維持される
請求項１又は請求項２に記載の照明器具の装飾構造。
【請求項４】
前記装飾ピースは、折り目をつけて、該折り目で折った形状が維持可能なシート状の素材で形成された
請求項１、請求項２又は請求項３に記載の照明器具の装飾構造。
【請求項５】
前記装飾ピースは、紙状、又は、シート状の素材で形成された
請求項１、請求項２、請求項３又は請求項４に記載の照明器具の装飾構造。
【請求項６】
前記装飾ピースは、前記装飾部の形状が２つ以上の異なる種類を有する
請求項１、請求項２、請求項３、請求項４又は請求項５に記載の照明器具の装飾構造。
【請求項７】
前記取付基部及び前記装飾部は、照射された光をその内部で反射又は透過させて、略均一に発光する光学特性を有するフィルムで形成された
請求項１、請求項２、請求項３、請求項４、請求項５又は請求項６に記載の照明器具の装飾構造。
【請求項８】
所定の光源と、
取付基部と、該取付基部に連設された装飾部から構成され、照射された光の少なくとも一部を透過可能である装飾ピースと、複数の前記装飾ピースを取り付ける基台となると共に、その内部に光源を配置可能な空間が形成され、かつ、光透過性を有するベース部と、該ベース部の外周面に位置し、前記取付基部を取り付け可能であると共に、前記ベース部の外周面を複数の前記装飾ピースで略囲繞するように設けられた取付部と、を有する装飾構造とを備える
照明器具。
【請求項９】
取付基部と、該取付基部に連設された装飾部から構成された装飾ピースと、
複数の前記装飾ピースを取り付ける基台となると共に、その内部に光源を配置可能な空間が形成され、かつ、光透過性を有するベース部と、
該ベース部の外周面に位置し、前記取付基部を取り付け可能であると共に、前記ベース部の外周面を複数の前記装飾ピースで略囲繞するように設けられた取付部とを備える
照明器具の装飾構造。
【発明の詳細な説明】
【技術分野】
【０００１】
本発明は照明器具の装飾構造及び照明器具に関する。詳しくは、形状の自由度が高く、発光する光が独特の光学特性を備えると共に、設置後の形状のアレンジや保守が容易であり、かつ、美感に優れた照明器具の装飾構造及び照明器具に係るものである。
【背景技術】
【０００２】
従来、室内等の照明器具において、美感を高めるために種々の装飾構造が施されている。
【０００３】
例えば、特許文献１に記載されたシャンデリアでは、装飾体の形態パターンを種々に変化させることのできる装飾構造が開示されている。
【０００４】
この特許文献１に記載されたシャンデリアは、天井に吊り下げられる躯体１と、この躯体１に設けられたランプと、躯体１から複数本のワイヤｗにより吊り下げられた装飾体２とから構成されている。
【０００５】
そして、ワイヤｗの各々を巻き取り、巻き出し自在に巻回する巻取部材５と、巻取部材の各々を回転自在にする駆動体Ｍにより、複数のワイヤｗの巻取り量を変えて、装飾体の形態パターンを変化させるものとなっている。
【０００６】
また、非特許文献１に記載された照明器具では、光源の周りに、多数のスワロフスキー（登録商標）のクリスタルガラスを配置している。この照明器具では、クリスタルガラスで反射又は透過した光が外部に放出され、その光学特性に特徴を与えている。
【先行技術文献】
【特許文献】
【０００７】
【特許文献１】特開平９−１２０７０３号公報
【非特許文献】
【０００８】
【非特許文献１】フォトギャラリー，吉岡徳仁「Ｓｔｅｌｌａｒ」ｉｎロンドン＜http://ism.excite.co.jp/design/rid_Original_24697/pid_3.html＞
【発明の概要】
【発明が解決しようとする課題】
【０００９】
しかしながら、特許文献１に記載されたシャンデリアでは、変化する形態パターンは、あくまでワイヤｗの巻取り量に基づく内容に限定され、形状の自由度という点で不充分であった。
【００１０】
また、非特許文献１に記載された照明器具では、略均一な形状のクリスタルガラスが複数配置されたことから、全体のシルエットや外観も均一な見栄えとなっている。
【００１１】
特に、球体状の外観において、球体の放射方向での奥行きが均一（球体表面からの放射状に伸びたクリスタルガラスの長さが揃っている）であり、凹凸や放射方向での奥行きで変化に富む形状とはなっていない。
【００１２】
さらに、より大量のクリスタルガラスを用いて、光学特性を異ならせようとした場合、天井面等、一定の高さに照明器具を設置する関係上、重量の制限があり、クリスタルガラスの量を増やすことが現実的に困難であった。
【００１３】
例えば、数千、数万という数の大量のクリスタルガラスの配置を試みたとしても、１つ１つのクリスタルガラスの重量の問題で、それだけの数を光源の周りに配置することができなかった。
【００１４】
また、仮に重量の問題をクリアしたとしても、１つずつのクリスタルガラスを、破損させることなく取り付ける作業には時間を要し、照明器具の制作に多大な手間がかかる問題が発生してしまう。この点は、照明器具のデザインの変更においても同様に発生する。
【００１５】
また、仮に、クリスタルガラスの量を増やす場合には、照明器具を支持するワイヤ又は柱部材等の支持構造が大きくなり、支持構造から武骨な印象が生じやすく、照明器具の美感を損ねるものとなってしまう。
【００１６】
本発明は、以上の点に鑑みて創案されたものであり、形状の自由度が高く、発光する光が独特の光学特性を備えると共に、設置後の形状のアレンジや保守が容易であり、かつ、美感に優れた照明器具の装飾構造及び照明器具を提供することを目的とする。
【課題を解決するための手段】
【００１７】
上記の目的を達成するために、本発明の照明器具の装飾構造は、取付基部と、該取付基部に連設された装飾部から構成され、照射された光の少なくとも一部を透過可能である装飾ピースと、複数の前記装飾ピースを取り付ける基台となると共に、その内部に光源を配置可能な空間が形成され、かつ、光透過性を有するベース部と、該ベース部の外周面に位置し、前記取付基部を取り付け可能であると共に、前記ベース部の外周面を複数の前記装飾ピースで略囲繞するように設けられた取付部とを備える。
【００１８】
ここで、装飾ピースが、取付基部と、取付基部に連設された装飾部から構成され、取付部でベース部の外周面に位置し、取付基部を取り付け可能であることによって、基台となるベース部に、取付部及び取付基部を介して、装飾ピースを取り付けて、装飾部の形状又は色彩等に応じたデザイン性を付与することができる。
【００１９】
即ち、例えば、ベース部の外形が略球状であれば、球体の放射方向での奥行きを、装飾ピースの長さで変化させることが可能となる。
【００２０】
また、ベース部が、その内部に光源を配置可能な空間が形成され、かつ、光透過性を有し、装飾ピースが、照射された光の少なくとも一部を透過可能であることによって、ベース部の内部に配置した光源の光を、装飾構造の外部に届けることができる。
【００２１】
また、取付部が、ベース部の外周面に位置し、取付基部を取り付け可能であると共に、ベース部の外周面を複数の装飾ピースで略囲繞するように設けられたことによって、装飾構造の外観を、装飾ピースの形状、色彩又は数によって、自由度高く異ならせることができる。また、ベース部の外周面が複数の装飾ピースで覆われることで、光源の光を、装飾ピースを形成する素材の光学特性に応じて変化させ易くなる。
【００２２】
また、取付部が、ベース部に形成された取付基部を挿通可能な孔部であり、ベース部に複数形成されている場合には、孔部に装飾ピースの取付基部を差し込む単純な作業だけで、装飾ピースのベース部への取付けが可能となる。また、装飾ピースを異なる形状のものに変更する際や、装飾ピースの装飾部が損傷して取替えたい時等にも、装飾ピースの交換作業を容易に行うことができる。
【００２３】
また、複数の装飾ピースが、ベース部の外周面上に密集して配置されると共に、隣り合う装飾ピース同士の装飾部が当接して互いに及ぼす圧力により、ベース部上での配置状態が維持される場合には、より一層、取付部に対する装飾ピースの着脱が行い易くなる。また、装飾ピース同士が押し合う力で、複数の装飾ピースの配置状態が維持できるため、装飾ピースを取付部に固定する為の接着剤等の使用量を減らす、又は、接着剤を使用せずに固定することも可能となる。また、装飾ピースが密集しているため、一部の装飾ピースが、損傷して、欠けたり、変形したりした場合でも、外観上目立たなくすることができる。
【００２４】
また、装飾ピースが折り目をつけて、折り目で折った形状が維持可能なシート状の素材で形成された場合には、折り目によって生じた複数の面の組み合わせによる形状変化を、装飾部の外観に付与することができる。また、光源からの光の光学特性の変化にも影響を及ぼして、装飾構造全体での光り方を、より複雑で、特徴的なものにできる。
【００２５】
また、装飾ピースが、紙状、又は、シート状の素材で形成された場合には、装飾ピースの重量が軽くなり、装飾構造の全体での重量の増加を抑えることができる。この結果、例えば、照明器具を一定の高さ位置に設置する場合でも、ベース部の外周面上に大量に装飾ピースを配置可能となる。また、地震等の災害時に照明器具が落下することによる被害を少なくすることができる。
【００２６】
また、装飾ピースが、装飾部の形状が２つ以上の異なる種類を有する場合には、装飾構造の全体の外観を、より一層、自由度高く異ならせることができる。即ち、例えば、装飾ピースの装飾部に鋭利な形状を採用すれば、装飾構造の外観からシャープな印象を与えることができるし、この逆に、装飾部に丸みを帯びた形状を採用すれば、装飾構造の外観から柔らかく優しい印象を与えることができる。
【００２７】
また、取付基部及び装飾部が、照射された光をその内部で反射又は透過させて、略均一に発光する光学特性を有するフィルムで形成された場合には、光源の光を、装飾ピースを介して変化させ、装飾構造の全体を、明るく、略均一に光らせることができる。なお、ここでいう、略均一に発光とは、見かけ上、均一に発光しているように見える状態を含んでいる。
【００２８】
また、上記の目的を達成するために、本発明の照明器具は、所定の光源と、取付基部と、該取付基部に連設された装飾部から構成され、照射された光の少なくとも一部を透過可能である装飾ピースと、複数の前記装飾ピースを取り付ける基台となると共に、その内部に光源を配置可能な空間が形成され、かつ、光透過性を有するベース部と、該ベース部の外周面に位置し、前記取付基部を取り付け可能であると共に、前記ベース部の外周面を複数の前記装飾ピースで略囲繞するように設けられた取付部と、を有する装飾構造とを備える。
【００２９】
ここで、装飾ピースが、取付基部と、取付基部に連設された装飾部から構成され、取付部でベース部の外周面に位置し、取付基部を取り付け可能であることによって、基台となるベース部に、取付部及び取付基部を介して、装飾ピースを取り付けて、装飾部の形状又は色彩等に応じたデザイン性を付与することができる。
【００３０】
また、上記の目的を達成するために、本発明の照明器具の装飾構造は、取付基部と、該取付基部に連設された装飾部から構成された装飾ピースと、複数の前記装飾ピースを取り付ける基台となると共に、その内部に光源を配置可能な空間が形成され、かつ、光透過性を有するベース部と、該ベース部の外周面に位置し、前記取付基部を取り付け可能であると共に、前記ベース部の外周面を複数の前記装飾ピースで略囲繞するように設けられた取付部とを備える。
【発明の効果】
【００３１】
本発明に係る照明器具の装飾構造は、形状の自由度が高く、発光する光が独特の光学特性を備えると共に、設置後の形状のアレンジや保守が容易であり、かつ、美感に優れたものとなっている。
また、本発明に係る照明器具は、形状の自由度が高く、発光する光が独特の光学特性を備えると共に、設置後の形状のアレンジや保守が容易であり、かつ、美感に優れたものとなっている。
【図面の簡単な説明】
【００３２】
【図１】本発明を適用した照明器具の全体外観を示す概略図である。
【図２】ベースフレームの構造及び光源の配置を示す分解概略図である。
【図３】羽ピースの形状のバリエーションの一例を示す図である。
【図４】ベースフレームの外周面への羽ピースの取り付けの状態を示す概略図である。
【図５】ベースフレームの外周面に複数の羽ピースが密集して配置された状態を示す部分拡大図である。
【図６】ベースフレームの内部で光源の光が反射して全放射方向に向けて発光する状態を示す概念図である。
【発明を実施するための形態】
【００３３】
以下、本発明の実施の形態について図面を参照しながら説明し、本発明の理解に供する。
なお、以下に示す構造は本発明を適用した照明器具及び照明器具の装飾構造の一例であり、本発明の内容はこれに限定されるものではなく、適宜設定変更することが可能である。
【００３４】
図１に示すように、本発明を適用した照明器具の一例であるシャンデリアＡは、本発明を適用した照明器具の装飾構造の一例である装飾構造１を備えている。
【００３５】
シャンデリアＡは、図示しない天井面に、装飾構造１をワイヤ１１で吊り下げて設置されている。
【００３６】
ここで、必ずしも、装飾構造１がワイヤ１１等で天井面に設けられる必要はない。例えば、別途の支持構造を床面や壁面に設けて、装飾構造１を支持して設置することも可能である。
【００３７】
また、装飾構造１は、ベースフレーム３（図２参照）と、ベースフレーム３の外周面上に取り付けられた複数の羽ピース２（図３から図５参照）を有している。なお、ここでいうベースフレームが本願請求項における「ベース部」に該当する。また、ここでいう羽ピースが本願請求項における「装飾ピース」に該当する。
【００３８】
ベースフレーム３は、大量の羽ピース２をその外周面に取り付けるための基台であり、光源１０（図２参照）を内部に配置する部材である。また、羽ピース２は、装飾構造１の全体形状、色彩、光の発光特性等の装飾性に寄与する部材である。
【００３９】
ベースフレーム３は、略半球状の上部フレーム体３０及び下部フレーム体３１で構成されている。上部フレーム体３０及び下部フレーム体３１は、それぞれフランジ部３００及びフランジ部３０１を有している。
【００４０】
また、ベースフレーム３は、フランジ部３００及びフランジ部３０１の部分で組み合わされ、同部分を締結具（図示省略）で繋げて、上部フレーム体３０及び下部フレーム体３１が一体化された構造となっている。
【００４１】
このため、ベースフレーム３は略球状の形状となっている（図２参照）。また、ベースフレーム３の内部には、ワイヤ１１の下端に繋げられた光源１０が配置されている。また、図示しないが、上部フレーム体３０の一部が、ワイヤ１１に接続され、上部フレーム体３０及び下部フレーム体３１がワイヤ１１により支持されている。
【００４２】
また、上部フレーム体３０及び下部フレーム体３１はアクリルで形成され、光源１０の光を透過させることができる。
【００４３】
ここで、必ずしも、ベースフレーム３は、略半球状の上部フレーム体３０及び下部フレーム体３１で構成される必要はなく、その外周面に羽ピース２が取付け可能、かつ、内側に光源１０を配置可能であれば、これを構成する部材の数は限定されない。
【００４４】
また、必ずしも、ベースフレーム３の全体の形状が略球状となる必要はなく、その外周面に羽ピース２が取付け可能、かつ、内側に光源１０を配置可能であれば、ベースフレームの形状は、適宜変更することができる。
【００４５】
また、必ずしも、上部フレーム体３０及び下部フレーム体３１がアクリルで形成される必要はなく、光源１０の光を透過可能に構成されていれば充分である。但し、透明度及び光透過性に優れ、シャンデリアを光らせた際に、ベースフレーム３の輪郭の影が生じにくく、羽ピース２により光学特性が変化した光が得やすくなる点から、上部フレーム体３０及び下部フレーム体３１がアクリルで形成されることが好ましい。また、同様の観点から、上部フレーム体３０及び下部フレーム体３１を形成する素材として、ガラス・ポリカーボネートを用いてもよい。
【００４６】
また、光源１０は光が発光できる装置であれば、その種類は限定されるものではなく、既知のＬＥＤ光源等、その種類は適宜選択しうるものである。また、光源１０の形状は、ベースフレーム３の内側に配置して、羽ピース２に光を照射できるものであれば、その形状は特に限定されない。
【００４７】
また、本発明を適用した照明器具において、光源の数は１つに限定されるものではなく、ベースフレーム３の内側に配置して、羽ピース２に光を照射できるものであれば、２つ以上用いられてもよい。
【００４８】
また、光源から生じる光の色は特に限定されず、種々の発光色を選択しうる。さらに、単色だけでなく、複数の色の光を発するＬＥＤ光源等を組み合わせた光源が用いられてもよい。
【００４９】
図２及び図４に示すように、上部フレーム体３０の外周面には、貫通孔３０１が複数形成されている。また、下部フレーム体３１の外周面には、貫通孔３１１が複数形成されている。これら貫通孔３０１及び貫通孔３１１は、羽ピース２を取り付ける部分となる。なお、ここでいう貫通孔が本願請求項における「取付部」に該当する。
【００５０】
また、図３に示すように、羽ピース２は、形状の異なる１０種類のバリエーションを有している。また、各羽ピース２は、所定の長さを有する取付基部２０と、取付基部２０と繋がった羽部２１から構成されている。
【００５１】
この羽ピース２の取付基部２０は、上部フレーム体３０及び下部フレーム体３１に形成された貫通孔３０１及び貫通孔３１１に挿入される部分である（図３及び図４参照）。この取付基部２０と、貫通孔３０１及び貫通孔３１１とを介して、ベースフレーム３の外周面に、羽ピース２が取り付けられる。
【００５２】
また、羽ピース２の羽部２１は、羽ピース２の装飾部分である。即ち、この羽部２１の形状や大きさ、色、素材等を変えることで、装飾構造１の全体形状、色彩、光の発光特性等の装飾性を自由に変えることができる。
【００５３】
また、羽ピース２は、ベースフレーム３の外周面の貫通孔３０１及び貫通孔３１１に取り付けられた状態では、多数の羽ピース２がベースフレーム３の外周面上に密集して配置されている。そのため、隣接する羽ピース２同士の羽部２１が当接して、互いに押し合う力が発生して、密集した配置状態が維持されている。
【００５４】
この結果、ベースフレーム３の外周面が大量の羽ピース２で覆われ、羽ピース２が密集した形状により、自然の法則に沿ったランダムで同じ形の場所がない複雑な形状を表すことが可能となる。
【００５５】
また、後述するように羽ピース２を、紙のように軽く、密度が小さいフィルム素材で形成することで、ベースフレーム３に対して、数千、数万個の羽ピース２を取り付けることが可能となる。このように、大量の羽ピース２を、光源の周囲に配置して、装飾構造を形作ることは、従前の技術ではなし得ず、本発明の大きな特徴の１つであると言える。
【００５６】
また、大量の羽ピース２が密集して配置されたことで、別途、取付基部２０とベースフレーム３とを接着剤等で固定しなくても、密集した配置状態が維持可能となる。この結果、例えば、羽部２１に欠けや折れが生じた羽ピース２を交換する際にも、羽ピース２を外側に抜き出すだけで、簡単に羽ピース２を交換可能となり、保守しやすくなる。さらに、ベースフレーム３の外周面を複数の羽ピース２で覆って、光源からの光が直接、装飾構造１の外部に逃げにくくすることができる。これにより、後述する、反射フィルムに光を照射した際に生じる光学特性の変化を充分に発揮できる構造となる。
【００５７】
なお、本発明では、必ずしも、羽ピース２の固定に接着剤等を用いてはいけないものではない。例えば。取付基部２０とベースフレーム３とを透明な接着剤等で固定して、その固定力を高めることもできる。
【００５８】
また、羽ピース２は、折り目をつけて、折った形状を保持可能なシート状の素材で形成されている。また、このシート状の素材は、外部から照射された光を、その内部で反射又は透過させて、シートが略均一に発光しているように見える反射フィルムから構成されている。
【００５９】
このように、羽ピース２が折り目をつけて、折った形状を保持可能なシート状の素材で形成されたことから、羽部２１をペーパークラフトのように、所望の形状に折り加工を施すことが可能となる。この結果、羽部２１を所望の形状にして、これを大量に取り付けた装飾構造１の外観を、自由度高く異ならせることができる。
【００６０】
また、羽部２１をペーパークラフトのように、所望の形状に折り加工を施すことで、羽部２１に２つ以上の面を形成することができる。これにより、光源１０から羽ピース２に照射された光が、向きの異なる複数の面で反射又は透過され、装飾構造１から発する光の光学特性に特徴を持たせるやすくなる。なお、図３中では、羽ピース２に付けた折り目を点線で示している。
【００６１】
また、この反射フィルムは、紙のように密度が小さい素材である。そのため、羽ピース２が大量にベースフレーム３の外周面に配置されても、装飾構造１の全体の重量は、既知のガラス等で装飾されたシャンデリアの重量よりも大幅に軽くすることが可能となる。
【００６２】
ここで、必ずしも、羽ピース２の形状は、図３に示すような１０種類の形状に限定されるものではなく、ベースフレーム３の外周面に取り付け可能であれば、種々の形状を採用することができる。
【００６３】
また、例えば、この羽ピース２のような鋭利な羽の形状を模した形状が採用される必要はなく、丸みを帯びた羽の形状とすることもできる。更には、羽の形状だけでなく、サンゴ状の貝殻、花びら、葉等、種々の形状にし得る。
【００６４】
また、１つのベースフレーム３に配置する羽ピース２の形状は、複数の異なる長さや形状を採用することで、自然の法則に沿ったランダムで同じ形の場所がない複雑な形状を表しやすくなる。
【００６５】
また、必ずしも、羽ピース２が折り目をつけて、折った形状を保持可能なシート状の素材で形成される必要はない。但し、羽部２１を所望の形状にして、これを大量に取り付けた装飾構造１の外観を、自由度高く異ならせることができ、かつ、複数の面で光源の光を反射又は透過させて装飾構造１から発する光の光学特性に特徴を持たせるやすくなる点から、羽ピース２が折り目をつけて、折った形状を保持可能なシート状の素材で形成されることが好ましい。
【００６６】
また、必ずしも、羽ピース２の素材として、外部から照射された光を、その内部で反射又は透過させて、シートが略均一に発光しているように見える反射フィルムから構成される必要はない。但し、光源１０から照射された光の光学特性を変化させ、特徴的な発光が生じやすくなる点から、羽ピース２の素材として、上述した性質の反射フィルムで構成することが好ましい。ここでいう特徴的な発光とは、全方向に強い光を発することができ、透明できらきらと輝く特性を有し、複雑な形状を併せ持つという性質である。
【００６７】
また、例えば、羽ピース２の素材は、光源１０から照射された光の少なくとも一部を、外部に透過可能な素材が選択されることが好ましい。例えば、和紙やカラーペーパー、金箔等の薄い素材を採用することができる。また、和紙やカラーペーパーであれば、羽ピース２が軽くなり、かつ、折り目を付けて形状を異ならせることも可能となる。
【００６８】
また、一方で、羽ピース２の素材として、光源１０から照射された光が透過しづらい素材、例えば、厚みのある羽毛状のピースや、光が透過しにくい暗めの色彩を有する素材も採用しうる。このように、光源１０から照射された光が透過しづらい素材を敢えて採用することで、装飾構造から発する光や、シャンデリア全体の外観の印象を異ならせることができる。
【００６９】
この羽ピース２は、以下のような方法で作成している。
まず、シート状の反射フィルムから、図３に示す羽ピース２の折り加工を施す前の形状の型を用いて、型抜きを行う。次に、折り加工を施す部分に工具で浅い溝をつけ、その折り目にそって、折りをつけることで、各羽ピース２の形状となる。なお、この羽ピース２の製造方法は、あくまで一例であり、種々の製造方法が採用しうる。
【００７０】
以上で説明した構造を有するシャンデリアＡでは、図６に示すように、光源１０から生じた光Ｆが、羽ピース２で覆われた内部で、反射又は透過して、全放射状に光を広げることが可能となる。この結果、装飾構造１は、その全体が明るく、かつ、羽ピース２で光の光学特性が変化した特徴のある光り方を実現することができる。
【００７１】
また、シャンデリアＡでは、大量の羽ピース２をベースフレーム３の外周面上に配置することで、自然の法則に沿ったランダムで同じ形の場所がない複雑な形状を表すことができる。
【００７２】
また、ベースフレーム２に、複数の形状を有する羽ピース２を取り付けて、装飾構造１を構成するため、羽ピース２の形状の選択や、異なる種類の取り付け位置を変えて、シャンデリアＡの外観を、自由度高く、多種多様な見栄えにすることができる。
【００７３】
以上のように、本発明の照明器具の装飾構造及び照明器具は、形状の自由度が高く、発光する光が独特の光学特性を備えると共に、設置後の形状のアレンジや保守が容易であり、かつ、美感に優れたものとなっている。
【符号の説明】
【００７４】
Ａ      シャンデリア
１      装飾構造
１０    光源
１１    ワイヤ
２      羽ピース
２０    取付基部
２１    羽部
３      ベースフレーム
３０    上部フレーム体
３００  フランジ部
３０１  貫通孔
３１    下部フレーム体
３０１  フランジ部
３１１  貫通孔
【図１】
2020173901.tif 000003
【図２】
2020173901.tif 000004
【図３】
2020173901.tif 000005
【図４】
2020173901.tif 000006
【図５】
2020173901.tif 000007
【図６】
2020173901.tif 000008